(57)【要約】【課題】  単層および多層の光ディスクに応じて可変抵抗をそれぞれ調整することなく、バックモニタ用光検出器を用いて多層の光ディスクの再生に対応する。【解決手段】  第１波長のレーザ光を出射する第１レーザダイオードと、第１レーザダイオードから後方に出射されるレーザ光を受光して第１モニタ信号を出力するバックモニタ用光検出器とを含む第１レーザ光源と、第２波長のレーザ光を出射する第２レーザダイオードを含む第２レーザ光源と、第２レーザダイオードから前方に出射されるレーザ光を受光して第２モニタ信号を出力するフロントモニタ用光検出器と、第１，２モニタ信号が入力され、切替信号に応じて第１，２モニタ信号の何れか一方を出力するスイッチ回路とを含む受光回路と、受光回路から出力される第１，２モニタ信号に応じて第１，２レーザダイオードを駆動する第１，２駆動回路と、を有する。【選択図】  図１
2012195043.tif 000002
【特許請求の範囲】
【請求項１】
第１の波長のレーザ光を出射する第１のレーザダイオードと、前記第１のレーザダイオードから光ディスク側でない後方に出射されるレーザ光を受光して第１のモニタ信号を出力するバックモニタ用光検出器とを含む第１のレーザ光源と、
第２の波長のレーザ光を出射する第２のレーザダイオードを含む第２のレーザ光源と、
前記第２のレーザダイオードから光ディスク側である前方に出射されるレーザ光を受光して第２のモニタ信号を出力するフロントモニタ用光検出器と、前記第１および第２のモニタ信号が入力され、切替信号に応じて前記第１または第２のモニタ信号の何れか一方を出力するスイッチ回路とを含む受光回路と、
前記受光回路から出力される前記第１のモニタ信号に応じて前記第１のレーザダイオードを駆動する第１の駆動回路と、
前記受光回路から出力される前記第２のモニタ信号に応じて前記第２のレーザダイオードを駆動する第２の駆動回路と、
を有することを特徴とする光ピックアップ装置。
【請求項２】
前記第１のモニタ信号は、前記バックモニタ用光検出器に流れる電流信号であり、
前記第２のモニタ信号は、前記フロントモニタ用光検出器に流れる電流信号であり、
前記受光回路は、前記スイッチ回路から出力される前記第１または第２のモニタ信号を電圧信号に変換して出力する電流・電圧変換回路をさらに含むことを特徴とする請求項１に記載の光ピックアップ装置。
【請求項３】
前記受光回路は、前記第１のモニタ信号が流れる抵抗と、前記抵抗に発生する電圧を前記第２のモニタ信号と同一方向の電流信号に変換して前記スイッチ回路に入力する電圧・電流変換回路とをさらに含むことを特徴とする請求項２に記載の光ピックアップ装置。
【請求項４】
第１の波長のレーザ光を出射する第１のレーザダイオードと、前記第１のレーザダイオードから光ディスク側でない後方に出射されるレーザ光を受光するバックモニタ用光検出器とを含む第１のレーザ光源の、前記バックモニタ用光検出器から出力される第１のモニタ信号が入力される端子と、
第２の波長のレーザ光を出射する第２のレーザダイオードを含む第２のレーザ光源の、前記第２のレーザダイオードから光ディスク側である前方に出射されるレーザ光を受光して第２のモニタ信号を出力するフロントモニタ用光検出器と、
前記第１および第２のモニタ信号が入力され、切替信号に応じて前記第１または第２のモニタ信号の何れか一方を出力するスイッチ回路と、
を有することを特徴とする集積回路。
【請求項５】
請求項４に記載の集積回路を用いて、
前記端子に前記第１のモニタ信号を入力し、
前記フロントモニタ用光検出器に前記第２のレーザダイオードから前方に出射されるレーザ光を受光させ、
前記集積回路から出力される前記第１のモニタ信号に応じて前記第１のレーザダイオードの出力を制御するとともに、前記集積回路から出力される前記第２のモニタ信号に応じて前記第２のレーザダイオードの出力を制御することを特徴とする光ピックアップ装置のレーザ出力制御方法。
【発明の詳細な説明】
【技術分野】
【０００１】
本発明は、光ピックアップ装置、集積回路、および光ピックアップ装置のレーザ出力制御方法に関する。
【背景技術】
【０００２】
光ディスクに対して信号の記録や再生を行う光ピックアップ装置では、レーザダイオードから出射されるレーザ光をフォトダイオードなどの光検出器によって検出し、検出されたレーザ光の強度に応じてレーザダイオードの出力を制御している。
【０００３】
例えば、特許文献１の図５では、レーザダイオードから後方（光ディスク側でない側）に出射されるレーザ光を、レーザダイオードと同一パッケージ内に設けられた光検出器（バックモニタ用光検出器）によって検出し、レーザダイオードの駆動電流を制御するバックモニタ方式の光ピックアップ装置が開示されている。また、例えば、特許文献１の図４では、レーザダイオードから前方（光ディスク側）に出射されるレーザ光を、バックモニタ用光検出器とは別の光検出器（フロントモニタ用光検出器）によって検出し、レーザダイオードの駆動電流を制御するフロントモニタ方式の光ピックアップ装置が開示されている。
【０００４】
ここで、バックモニタ方式およびフロントモニタ方式の光ピックアップ装置における一般的なレーザ出力制御回路の構成の一例をそれぞれ図３および図４に示す。
【０００５】
図３に示すように、バックモニタ用フォトダイオード（光検出器）ＰＤ１は、レーザダイオードＬＤ１から後方に出射されるレーザ光を受光し、フォトダイオードＰＤ１には、受光したレーザ光の強度に応じた電流Ｉｂｍが流れる。また、電流Ｉｂｍは、光ディスクに応じて調整された可変抵抗ＶＲに流れ、可変抵抗ＶＲに発生する電圧Ｖｂｍは、ＡＤＣ（Analog-Digital Converter：アナログ・デジタル変換回路）１２によってデジタル信号に変換されたうえでＬＤ駆動回路１３に入力される。そして、ＬＤ駆動回路１３は、電圧Ｖｂｍに応じて、電流源１４から供給される駆動電流Ｉｌｄ１を制御することによって、レーザダイオードＬＤ１の出力を制御する。
【０００６】
一方、図４に示すように、フロントモニタ用フォトダイオードＰＤｆｍは、レーザダイオードＬＤ２から前方に出射されるレーザ光を受光し、フォトダイオードＰＤｆｍには、受光したレーザ光の強度に応じた電流Ｉｆｍが流れる。また、電流Ｉｆｍは、ＩＶアンプ（電流・電圧変換回路）４４によって電圧信号Ｖｆｍに変換され、さらに、ＡＤＣ２２によってデジタル信号に変換されたうえでＬＤ駆動回路２３に入力される。そして、ＬＤ駆動回路２３は、電圧信号Ｖｆｍに応じて、電流源２４から供給される駆動電流Ｉｌｄ２を制御することによって、レーザダイオードＬＤ２の出力を制御する。なお、ＩＶアンプ４４は、利得を選択するための複数の抵抗、および接続される抵抗を切り替えるスイッチ回路（不図示）を備えており、コントローラ５０から光ディスクに応じた選択信号ＳＥＬを入力することによって利得を調整することができる。
【０００７】
このようにして、レーザダイオードから出射されるレーザ光をバックモニタ用光検出器またはフロントモニタ用光検出器によって検出し、レーザダイオードの出力を制御することができる。
【先行技術文献】
【特許文献】
【０００８】
【特許文献１】特開２００３−１３２５８１号公報
【発明の概要】
【発明が解決しようとする課題】
【０００９】
図３に示したバックモニタ方式のレーザ出力制御回路では、レーザダイオードＬＤ１と同一パッケージ内に設けられたフォトダイオードＰＤ１に流れる電流Ｉｂｍを可変抵抗ＶＲによって電圧Ｖｂｍに変換し、レーザ光の強度を示すモニタ信号として用いている。そのため、バックモニタ方式は、レーザ出力制御回路を安価に構成することができ、主として、再生動作のみを行う光ピックアップ装置に採用されている。
【００１０】
一方、図４に示したフロントモニタ方式のレーザ出力制御回路では、フォトダイオードＰＤ２とは別のフォトダイオードＰＤｆｍに流れる電流ＩｆｍをＩＶアンプ４４によって電圧信号Ｖｆｍに変換し、モニタ信号として用いている。フロントモニタ方式は、バックモニタ方式より高速応答が可能なため、主として、再生動作だけでなく、レーザダイオードの出力を高速で制御する必要がある記録動作も行う光ピックアップ装置に採用されている。
【００１１】
一例として、ＣＤ（Compact Disc）およびＤＶＤ（Digital Versatile Disc）に対して記録および再生の両方を行い、ＢＤ（Blu-ray Disc）に対して再生のみを行う光ピックアップ装置では、ＣＤ／ＤＶＤ用のレーザ出力制御回路をフロントモニタ方式とし、ＢＤ用のレーザ出力制御回路をバックモニタ方式とすることができる。
【００１２】
しかしながら、多層（２層以上）のＢＤを再生する場合、単層のＢＤを再生する場合に比べて、レーザダイオードの出力を１０倍程度に高くする必要がある。そのため、多層のＢＤの再生に対応するためには、図３に示したレーザ出力制御回路では、可変抵抗を２個用いて、単層および多層のＢＤに応じてそれぞれ調整する必要があり、さらに、２個の可変抵抗を切り替えるスイッチ回路などを追加する必要もある。
【課題を解決するための手段】
【００１３】
前述した課題を解決する主たる本発明は、第１の波長のレーザ光を出射する第１のレーザダイオードと、前記第１のレーザダイオードから光ディスク側でない後方に出射されるレーザ光を受光して第１のモニタ信号を出力するバックモニタ用光検出器とを含む第１のレーザ光源と、第２の波長のレーザ光を出射する第２のレーザダイオードを含む第２のレーザ光源と、前記第２のレーザダイオードから光ディスク側である前方に出射されるレーザ光を受光して第２のモニタ信号を出力するフロントモニタ用光検出器と、前記第１および第２のモニタ信号が入力され、切替信号に応じて前記第１または第２のモニタ信号の何れか一方を出力するスイッチ回路とを含む受光回路と、前記受光回路から出力される前記第１のモニタ信号に応じて前記第１のレーザダイオードを駆動する第１の駆動回路と、前記受光回路から出力される前記第２のモニタ信号に応じて前記第２のレーザダイオードを駆動する第２の駆動回路と、を有することを特徴とする光ピックアップ装置である。
【００１４】
本発明の他の特徴については、添付図面及び本明細書の記載により明らかとなる。
【発明の効果】
【００１５】
本発明によれば、単層および多層の光ディスクに応じて可変抵抗をそれぞれ調整することなく、バックモニタ用光検出器を用いて多層の光ディスクの再生に対応することができる。
【図面の簡単な説明】
【００１６】
【図１】本発明の一実施形態における光ピックアップ装置のレーザ出力制御回路の構成を示す回路ブロック図である。
【図２】ＶＩ変換回路の具体的な構成の一例を示す回路ブロック図である。
【図３】バックモニタ方式の一般的なレーザ出力制御回路の構成の一例を示す回路ブロック図である。
【図４】フロントモニタ方式の一般的なレーザ出力制御回路の構成の一例を示す回路ブロック図である。
【発明を実施するための形態】
【００１７】
本明細書および添付図面の記載により、少なくとも以下の事項が明らかとなる。
【００１８】
＝＝＝レーザ出力制御回路の構成＝＝＝
以下、図１および図２を参照して、本発明の一実施形態における光ピックアップ装置のレーザ出力制御回路の構成について説明する。なお、本実施形態では、一例として、光ピックアップ装置は、ＣＤおよびＤＶＤに対して記録および再生の両方を行い、単層および多層のＢＤに対して再生のみを行うものとする。
【００１９】
図１に示されているレーザ出力制御回路は、レーザダイオードＬＤ１およびＬＤ２の出力を制御する回路であり、フォトダイオードＰＤ１、ＰＤ２、ＡＤＣ１２、２２、ＬＤ駆動回路１３、２３、電流源１４、２４、および受光回路３０を含んで構成されている。なお、受光回路３０は、コントローラ５０によって制御される。
【００２０】
（第１の）レーザダイオードＬＤ１は、例えば、波長４０５ｎｍ帯の青紫色レーザ光を出射することができ、ＢＤの再生に用いられる。また、レーザダイオードＬＤ１とフォトダイオードＰＤ１とは、同一パッケージ内に設けられ、（第１の）レーザ光源１１として構成されている。そして、レーザダイオードＬＤ１およびフォトダイオードＰＤ１のカソードは、共通のグランドに接続されている。
【００２１】
（第２の）レーザダイオードＬＤ２は、例えば、波長７８０ｎｍ帯の赤外線レーザ光および波長６５０ｎｍ帯の赤色レーザ光を出射することができ、ＣＤ／ＤＶＤの記録・再生に用いられる。また、レーザダイオードＬＤ２とフォトダイオードＰＤ２とは、同一パッケージ内に設けられ、（第２の）レーザ光源２１として構成されている。そして、レーザダイオードＬＤ２およびフォトダイオードＰＤ２のカソードは、共通のグランドに接続されている。なお、フォトダイオードＰＤ２のアノードは、オープンとなっている。
【００２２】
受光回路３０は、フォトダイオードＰＤｆｍ、抵抗３１、ＶＩ（電圧・電流）変換回路３２、スイッチ回路３３、およびＩＶアンプ３４を含み、少なくとも端子ＩＮｂｍを備えた集積回路として構成されている。また、端子ＩＮｂｍには、フォトダイオードＰＤ１のアノードが接続され、フォトダイオードＰＤ１に流れる電流Ｉｂｍ１は、端子ＩＮｂｍを介して受光回路３０に入力される。
【００２３】
フォトダイオードＰＤｆｍは、レーザダイオードＬＤ２から前方に出射されるレーザ光を受光するように配置され、アノードは、グランドに接続されている。また、抵抗３１の一端は、端子ＩＮｂｍに接続され、他端は、グランドに接続されている。
【００２４】
図２に示すように、ＶＩ変換回路３２は、オペアンプ（演算増幅器）ＯＰ、（ＮＰＮ）トランジスタＱ１、および抵抗Ｒ１を含んで構成されている。オペアンプＯＰの非反転入力には、端子ＩＮｂｍの電圧Ｖｂｍ１が印加され、出力は、トランジスタＱ１のベースに接続されている。また、トランジスタＱ１のエミッタには、抵抗Ｒ１の一端が接続され、抵抗Ｒ１の他端は、グランドに接続されている。さらに、トランジスタＱ１と抵抗Ｒ１との接続点の電圧Ｖｂｍ２は、オペアンプＯＰの反転入力に印加されている。そして、トランジスタＱ１のコレクタは、電流Ｉｂｍ２を出力する出力ノードとなっている。
【００２５】
スイッチ回路３３は、ＩＶアンプ３４の入力ノードと、ＶＩ変換回路３２の出力ノードまたはフォトダイオードＰＤｆｍのカソードとを接続する。そして、ＩＶアンプ３４には、スイッチ回路３３を介して、ＶＩ変換回路３２から出力される電流Ｉｂｍ２、またはフォトダイオードＰＤｆｍに流れる電流Ｉｆｍが入力される。なお、スイッチ回路３３は、コントローラ５０から入力される切替信号ＳＷに応じて接続を切り替えることができる。
【００２６】
ＩＶアンプ３４は、例えば、反転入力と出力とが抵抗を介して接続されたオペアンプを用いて構成することができ、ＩＶアンプ３４から出力される電圧信号Ｖｍは、それぞれＡＤＣ１２および２２を介して、ＬＤ駆動回路１３および２３に入力されている。なお、ＩＶアンプ３４は、利得を選択するための複数の抵抗、および接続される抵抗を切り替えるスイッチ回路（不図示）を備えており、コントローラ５０から入力される選択信号ＳＥＬに応じて利得を調整することができる。
【００２７】
ＬＤ駆動回路１３（第１の駆動回路）は、電流源１４を制御し、電流源１４からＬＤ１のアノードには、駆動電流Ｉｌｄ１が供給されている。また、ＬＤ駆動回路２３（第２の駆動回路）は、電流源２４を制御し、電流源２４からＬＤ２のアノードには、駆動電流Ｉｌｄ２が供給されている。
【００２８】
＝＝＝レーザ出力制御回路の動作＝＝＝
以下、本実施形態における光ピックアップ装置のレーザ出力制御回路の動作について説明する。
【００２９】
まず、ＣＤ／ＤＶＤの記録・再生時の動作について説明する。なお、ＣＤ／ＤＶＤの記録・再生時には、コントローラ５０は、スイッチ回路３３に切替信号ＳＷを入力することによって、ＩＶアンプ３４の入力ノードとフォトダイオードＰＤｆｍのカソードとを接続する。また、コントローラ５０は、ＩＶアンプ３４に選択信号ＳＥＬを入力することによって、ＩＶアンプ３４の利得としてＣＤ用またはＤＶＤ用の利得を選択する。
【００３０】
電流源２４から駆動電流Ｉｌｄ２が供給され、レーザダイオードＬＤ２からレーザ光が出射されると、フォトダイオードＰＤｆｍは、レーザダイオードＬＤ２から前方に出射されるレーザ光を受光する。また、フォトダイオードＰＤｆｍには、受光したレーザ光の強度に応じた電流Ｉｆｍが流れ、電流Ｉｆｍは、スイッチ回路３３を介して、ＩＶアンプ３４にシンク電流として入力される。なお、本実施形態では、電流Ｉｆｍが第２のモニタ信号に相当する。
【００３１】
ＩＶアンプ３４は、利得に応じて電流Ｉｆｍを電圧信号Ｖｍに変換する。また、ＡＤＣ２２は、電圧信号Ｖｍをさらにデジタル信号に変換する。そして、ＬＤ駆動回路２３は、デジタル信号に変換された電圧信号Ｖｍに応じて、電流源２４から供給される駆動電流Ｉｌｄ２を制御することによって、レーザダイオードＬＤ２の出力を制御する。
【００３２】
このようにして、受光回路３０のフロントモニタ用フォトダイオードＰＤｆｍに流れる電流Ｉｆｍを、ＩＶアンプ３４を用いて電圧信号Ｖｍに変換し、モニタ信号として用いることによって、レーザダイオードＬＤ２の出力を高速で制御することができ、ＣＤ／ＤＶＤの再生だけでなく記録も行うことができる。
【００３３】
次に、単層または多層のＢＤの再生時の動作について説明する。なお、ＢＤの再生時には、コントローラ５０は、スイッチ回路３３に切替信号ＳＷを入力することによって、ＩＶアンプ３４の入力ノードとＶＩ変換回路３２の出力ノードとを接続する。また、コントローラ５０は、ＩＶアンプ３４に選択信号ＳＥＬを入力することによって、ＩＶアンプ３４の利得としてＢＤ用の利得を選択する。
【００３４】
電流源１４から駆動電流Ｉｌｄ１が供給され、レーザダイオードＬＤ１からレーザ光が出射されると、フォトダイオードＰＤ１は、レーザダイオードＬＤ１から後方に出射されるレーザ光を受光する。また、フォトダイオードＰＤ１には、受光したレーザ光の強度に応じた電流Ｉｂｍ１が流れ、電流Ｉｂｍ１は、端子ＩＮｂｍを介して受光回路３０にソース電流として入力される。なお、本実施形態では、電流Ｉｂｍ１が第１のモニタ信号に相当する。
【００３５】
さらに、電流Ｉｂｍ１は、抵抗３１に流れ、抵抗３１に発生する電圧（端子ＩＮｂｍの電圧）Ｖｂｍ１がＶＩ変換回路３２に入力される。そして、図２に示したＶＩ変換回路３２において、トランジスタＱ１には、電圧Ｖｂｍ１と電圧Ｖｂｍ２とが等しくなるように電流Ｉｂｍ２（＝Ｖｂｍ１／Ｒ１）が流れ、電流Ｉｂｍ２は、スイッチ回路３３を介して、ＩＶアンプ３４にシンク電流として入力される。
【００３６】
ＩＶアンプ３４は、利得に応じて電流Ｉｂｍ２を電圧信号Ｖｍに変換する。また、ＡＤＣ１２は、電圧信号Ｖｍをさらにデジタル信号に変換する。そして、ＬＤ駆動回路１３は、デジタル信号に変換された電圧信号Ｖｍに応じて、電流源１４から供給される駆動電流Ｉｌｄ１を制御することによって、レーザダイオードＬＤ１の出力を制御する。
【００３７】
このようにして、ＢＤの再生時には、レーザ光源１１内に設けられたバックモニタ用フォトダイオードＰＤ１に流れる電流Ｉｂｍ１を、抵抗３１、ＶＩ変換回路３２、およびＩＶアンプ３４を用いて電圧信号Ｖｍに変換し、モニタ信号として用いている。前述したように、単層のＢＤを再生する場合と多層のＢＤを再生する場合とで、レーザダイオードＬＤ１の出力は１０倍程度異なるものの、ＩＶアンプ３４の可変幅は通常十分に大きい（例えば４０ｄＢ）ため、いずれのＢＤの再生にも対応することができる。
【００３８】
なお、本実施形態では、抵抗３１およびＶＩ変換回路３２を用いて、ソース電流として入力される電流Ｉｂｍ１を、電流Ｉｆｍと同一方向のシンク電流Ｉｂｍ２に変換してスイッチ回路３３に入力している。したがって、例えば、フォトダイオードＰＤｆｍのカソードがグランドに接続される場合など、電流Ｉｂｍ１と電流Ｉｆｍとが同一方向に流れる場合には、抵抗３１およびＶＩ変換回路３２が不要となる。
【００３９】
前述したように、図１に示した光ピックアップ装置のレーザ出力制御回路において、ＢＤの再生時にバックモニタ用フォトダイオードＰＤ１から出力される第１のモニタ信号を受光回路３０に入力し、スイッチ回路３３によって、ＣＤ／ＤＶＤの記録・再生時に受光回路３０が備えるフロントモニタ用フォトダイオードＰＤｆｍから出力される第２のモニタ信号と切り替えることによって、単層および多層のＢＤに応じて可変抵抗をそれぞれ調整することなく、多層のＢＤの再生に対応することができる。
【００４０】
また、フォトダイオードＰＤ１またはフォトダイオードＰＤｆｍに流れる電流をＩＶアンプ３４によって電圧信号Ｖｍに変換することによって、ＬＤ駆動回路１３および２３は、電圧信号Ｖｍに応じてレーザダイオードＬＤ１およびＬＤ２の出力をそれぞれ制御することができる。
【００４１】
また、フォトダイオードＰＤ１に流れる電流Ｉｂｍ１が流れる抵抗３１に発生する電圧Ｖｂｍ１を電流Ｉｂｍ２に変換することによって、電流Ｉｂｍ２と電流Ｉｆｍとを同一方向のシンク電流としてスイッチ回路３３に入力することができる。
【００４２】
また、受光回路（集積回路）３０において、バックモニタ用フォトダイオードＰＤ１から出力される第１のモニタ信号が入力される端子ＩＮｂｍと、第２のモニタ信号を出力するフロントモニタ用フォトダイオードＰＤｆｍと、モニタ信号を切り替えるスイッチ回路３３と、を備えることによって、ＢＤの再生時には第１のモニタ信号を、ＣＤ／ＤＶＤの記録・再生時には第２のモニタ信号を、それぞれモニタ信号として出力することができる。
【００４３】
また、受光回路（集積回路）３０を用いて、ＢＤの再生時には端子ＩＮｂｍに第１のモニタ信号を入力し、ＣＤ／ＤＶＤの記録・再生時にはフロントモニタ用フォトダイオードＰＤｆｍによってレーザ光を受光することによって、受光回路（集積回路）３０から出力されるモニタ信号に応じてレーザダイオードＬＤ１およびＬＤ２の出力をそれぞれ制御することができ、単層および多層のＢＤに応じて可変抵抗をそれぞれ調整することなく、多層のＢＤの再生に対応することができる。
【００４４】
なお、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００４５】
１１、２１  レーザ光源
１２、２２  ＡＤＣ（アナログ・デジタル変換回路）
１３、２３  ＬＤ駆動回路
１４、２４  電流源
３０、４０  受光回路（集積回路）
３１        抵抗
３２        ＶＩ（電圧・電流）変換回路
３３        スイッチ回路
３４、４４  ＩＶアンプ（電流・電圧変換回路）
５０        コントローラ
ＬＤ１、ＬＤ２  レーザダイオード
ＰＤ１、ＰＤ２、ＰＤｆｍ  フォトダイオード（光検出器）
ＩＮｂｍ    端子
ＯＰ        オペアンプ（演算増幅器）
Ｑ１        （ＮＰＮ）トランジスタ
Ｒ１        抵抗
ＶＲ        可変抵抗
【図１】
2012195043.tif 000003
【図２】
2012195043.tif 000004
【図３】
2012195043.tif 000005
【図４】
2012195043.tif 000006